(57)【要約】　　　（修正有）【課題】光源から出射される光の光量を安定させ、その上で光を変調させることができる信頼性の高い光ファイバ入射方法及びその装置の提供。【解決手段】３つのレーザダイオードＬＤ１〜ＬＤ３と光ファイバ１との間に、これらレーザダイオードＬＤ１〜ＬＤ３から出射された各ＬＤ光の光ファイバ１に対する入射角を制御する各音響光学変調素子１１−１〜１１−３を配置し、各レーザダイオードＬＤ１〜ＬＤ３の入力電流を直接オン、オフ、又は変調することなく、各波長毎の各ＬＤ光をオン、オフ制御した各ファイバ出力を得、かつ互いに波長の異なる各ＬＤをそれぞれ周波数制御した各ファイバ出力を得る。【選択図】　　図１
2004029152.tif 000002
【特許請求の範囲】
【請求項１】
少なくとも１つの光源から出射した光を光ファイバに入射するときに、前記光ファイバに対する前記光の入射角を制御して前記光ファイバへの入射光量を制御することを特徴とする光ファイバ入射方法。
【請求項２】
前記光源と前記光ファイバとの間に入射角制御素子を配置し、当該入射角制御素子によって前記光ファイバに対する前記光の入射角を制御することを特徴とする請求項１記載の光ファイバ入射方法。
【請求項３】
前記入射角制御素子は音響光学変調素子であり、当該音響光学変調素子を変調動作させることを特徴とする請求項２記載の光ファイバ入射方法。
【請求項４】
前記入射角制御素子はプリズムであり、当該プリズムを機械的に動かすことを特徴とする請求項２記載の光ファイバ入射方法。
【請求項５】
少なくとも１つの光源から出射した光を光ファイバに入射するときに、少なくとも前記光源又は前記光ファイバのいずれか一方又は両方を動かすことにより前記光ファイバに対する前記光の入射角を制御し、前記光ファイバへの入射光量を制御することを特徴とする光ファイバ入射方法。
【請求項６】
少なくとも１つの光源から出射された光を光ファイバに入射する光ファイバ入射装置において、
前記光源と前記光ファイバとの間に、前記光源から出射された前記光の前記光ファイバに対する入射角を制御する入射角制御素子を配置したことを特徴とする光ファイバ入射装置。
【請求項７】
前記入射角制御素子は、変調動作によって前記光の前記光ファイバに対する入射角を制御する音響光学変調素子であることを特徴とする請求項６記載の光ファイバ入射装置。
【請求項８】
前記入射角制御素子は、機械的に動かすことにより前記光の前記光ファイバに対する入射角を制御するプリズムであることを特徴とする請求項６記載の光ファイバ入射装置。
【請求項９】
複数の前記光源は、それぞれ異なる波長の各光を出射することを特徴とする請求項６記載の光ファイバ入射装置。
【請求項１０】
複数の前記入射角制御素子は、複数の前記光源からそれぞれ出射される前記各光の前記光ファイバに対する各入射角をそれぞれ別々に制御することを特徴とする請求項６記載の光ファイバ入射装置。
【発明の詳細な説明】
【０００１】
【発明の属する技術分野】
本発明は、例えば光の伝送技術に係わり、特に光ファイバに光を入射する光ファイバ入射方法及びその装置に関する。
【０００２】
【従来の技術】
光ファイバに光を入射する方法としては、例えば光源と、レンズと、光ファイバとを同一光軸上に直線的に配置し、光源から出射された光をレンズにより集光して光ファイバに入射する方式がある。このとき、光ファイバに入射する光量又は光ファイバから出射される光量は、光源への入力電流を制御することによって行うのが一般的になっている。特に、変調された光を光ファイバから出射する必要がある場合には、光源の入力電流を電気的に変調することが一般的に行われている。
【０００３】
図８は光ファイバ入射方法の一例を示す構成図であって、光ファイバ１に対して例えば３つのレーザダイオードＬＤ１〜ＬＤ３から出射された各ＬＤ光を入射する場合を示す。各レーザダイオードＬＤ１〜ＬＤ３の光軸上には、それぞれ各レンズ２−１〜２−３を介して各ダイクロイックミラー４−１〜４−３が設けられている。これらダイクロイックミラー４−１〜４−３は、それぞれの反射光路が同軸上になるように設けられている。これらダイクロイックミラー４−１〜４−３の反射光路上には、レンズ５を介して光ファイバ１の入射端が設けられている。
【０００４】
このような構成であれば、各レーザダイオードＬＤ１〜ＬＤ３から出射された各ＬＤ光は、それぞれ各レンズ２−１〜２−３を通して各ダイクロイックミラー４−１〜４−３に入射し、これらダイクロイックミラー４−１〜４−３で反射して同一光軸上を進行し、レンズ５により光ファイバ１の入射端に集光される。
【０００５】
光ファイバ１に入射する光を変調する場合、すなわち光ファイバ１の他端から出射される光を変調する場合は、各レーザダイオードＬＤ１〜ＬＤ３の入力電流を直接変調する。
【０００６】
図９も光ファイバ入射方法の一例を示す構成図であって、ファイバカプラ６を用いている。このファイバカプラ６は、光ファイバ１に光結合器７を介して複数の光ファイバ、例えば３本の光ファイバ８−１〜８−３を光学的に接続している。これら光ファイバ８−１〜８−３の他端には、上記図８に示す光ファイバ入射方法と同様に、それぞれ各レンズ２−１〜２−３を介して各レーザダイオードＬＤ１〜ＬＤ３が設けられている。
【０００７】
このような構成であれば、各レーザダイオードＬＤ１〜ＬＤ３から出射された各ＬＤ光は、それぞれ各レンズ２−１〜２−３を通して各光ファイバ８−１〜８−３に入射され、光結合器７により結合されて光ファイバ１に入射する。
【０００８】
光ファイバ１に入射する光を変調する場合、すなわち光ファイバ１の他端から出射される光を変調する場合は、上記図８に示す光ファイバ入射方法と同様に、各レーザダイオードＬＤ１〜ＬＤ３の入力電流を直接変調する。
【０００９】
【発明が解決しようとする課題】
光によって情報を伝送する光通信技術では、高い品質で情報を伝送することが要求される。このことから、各レーザダイオードＬＤ１〜ＬＤ３から出射される各ＬＤ光は、その光量が安定し、その上で光ファイバ１に入射する光又は光ファイバ１の他端から出射される光を変調することが要求される。
【００１０】
しかしながら、上記図８及び上記図９に示す光ファイバ入射方法では、光ファイバ１に入射する光又は光ファイバ１の他端から出射される光を変調する場合、各レーザダイオードＬＤ１〜ＬＤ３の入力電流を直接変調している。このため、各レーザダイオードＬＤ１〜ＬＤ３から出射される各ＬＤ光の光量が不安定になるおそれがある。
【００１１】
そこで本発明は、光源から出射される光の光量を安定させ、その上で光を変調させることができる信頼性の高い光ファイバ入射方法及びその装置を提供することを目的とする。
【００１２】
【課題を解決するための手段】
本発明は、少なくとも１つの光源から出射した光を光ファイバに入射するときに、光ファイバに対する光の入射角を制御して光ファイバへの入射光量を制御することを特徴とする光ファイバ入射方法である。
【００１３】
本発明は、上記光ファイバ入射方法において、光源と光ファイバとの間に入射角制御素子を配置し、この入射角制御素子によって光ファイバに対する光の入射角を制御する。
【００１４】
本発明は、上記光ファイバ入射方法において、入射角制御素子は音響光学変調素子であり、この音響光学変調素子を変調動作させる。
【００１５】
本発明は、上記光ファイバ入射方法において、入射角制御素子はプリズムであり、このプリズムを機械的に動かす。
【００１６】
本発明は、上記光ファイバ入射方法において、複数の光源から出射される各光の光ファイバに対する各入射角をそれぞれ別々に制御する。
【００１７】
本発明は、上記光ファイバ入射方法において、複数の光源から出射される各光の波長をそれぞれ異ならせる。
【００１８】
本発明は、少なくとも１つの光源から出射した光を光ファイバに入射するときに、少なくとも光源又は光ファイバのいずれか一方又は両方を動かすことにより光ファイバに対する光の入射角を制御し、光ファイバへの入射光量を制御することを特徴とする光ファイバ入射方法である。
【００１９】
本発明は、少なくとも１つの光源から出射された光を光ファイバに入射する光ファイバ入射装置において、光源と光ファイバとの間に、光源から出射された光の光ファイバに対する入射角を制御する入射角制御素子を配置したことを特徴とする光ファイバ入射装置である。
【００２０】
本発明は、上記光ファイバ入射装置において、光源を複数備え、これら光源と光ファイバとの間にそれぞれ複数の入射角制御素子を配置した。
【００２１】
本発明は、上記光ファイバ入射装置において、入射角制御素子は、変調動作によって光の光ファイバに対する入射角を制御する音響光学変調素子である。
【００２２】
本発明は、上記光ファイバ入射装置において、入射角制御素子は、機械的に動かすことにより光の光ファイバに対する入射角を制御するプリズムである。
【００２３】
本発明は、上記光ファイバ入射装置において、複数の光源は、それぞれ異なる波長の各光を出射する。
【００２４】
本発明は、上記光ファイバ入射装置において、複数の入射角制御素子は、複数の光源からそれぞれ出射される各光の光ファイバに対する各入射角をそれぞれ別々に制御する。
【００２５】
【発明の実施の形態】
以下、本発明の第１の実施の形態について図面を参照して説明する。なお、図８と同一部分には同一符号を付してその詳しい説明は省略する。
【００２６】
図１は光ファイバ入射装置の構成図である。３つのレーザダイオードＬＤ１〜ＬＤ３は、一定電圧を出力する電源１０に接続され、それぞれ異なる波長で一定の光量の各ＬＤ光を出射する。
【００２７】
これらレーザダイオードＬＤ１〜ＬＤ３は、図２に示すように例えば２次元平面上において正三角形の各頂点部分で、かつ光ファイバ１の入射端を貫く光軸Ｑに対して所定の仰ぎ角ψを成して設けられている。なお、図１ではレーザダイオードＬＤ１の仰ぎ角ψのみを示している。
【００２８】
この仰ぎ角ψは、後述する各音響光学変調素子（ＡＯ−Ｍ）１１−１〜１１−３の動作により各レーザダイオードＬＤ１〜ＬＤ３から出射された各ＬＤ光が光ファイバ１にカップリングされる角度αで入射させる角度である。
【００２９】
各レーザダイオードＬＤ１〜ＬＤ３から出射される各ＬＤ光の各光路上には、それぞれ各レンズ２−１〜２−３を介して各音響光学変調素子（ＡＯ−Ｍ）１１−１〜１１−３が設けられている。
【００３０】
これら音響光学変調素子１１−１〜１１−３は、それぞれ各レーザダイオードＬＤ１〜ＬＤ３から出射された各ＬＤ光の光ファイバ１に対する各入射角を制御する機能と、音響光学による回折によりＬＤ光の強度を変調する機能とを有する。
【００３１】
具体的に音響光学変調素子１１−１〜１１−３の動作について図３を参照して説明する。なお、これら音響光学変調素子１１−１〜１１−３は、それぞれ同一動作を行うので、音響光学変調素子１１−１の動作について説明し、他の音響光学変調素子１１−２、１１−３の動作の説明は省略する。
【００３２】
音響光学変調素子１１−１には、変調回路１２が接続されている。この変調回路１２は、例えば図４（ａ）に示すような電圧又は電流レベルａを中心として振れる正弦波の変調信号ｆ、又は図４（ｂ）に示すようなハイレベルとローレベルとからなる矩形波の変調信号ｆを発生する機能を有する。
【００３３】
音響光学変調素子１１−１は、例えば図４（ｂ）に示すようなハイレベルの矩形波の変調信号ｆが入力してオン（ＯＮ）動作しているときに、ＬＤ光が入射すると、このＬＤ光を屈折して入射角θｉに対応した出射角θｏで出射する。そして、音響光学変調素子１１−１から出射されたＬＤ光は、光ファイバ１の入力端に対してＬＤ光が光ファイバ１にカップリングされる角度αで光ファイバ１に入射される。
【００３４】
このようにＬＤ光を光ファイバ１にカップリングされる角度αで入射させるのは、光ファイバ１への入射光量が入射光の入射角によって制限される性質を利用して、光ファイバ１に対するＬＤ光の入射光量又は光ファイバ１の他端から出射されるＬＤ光の出射光量を制御するためである。
【００３５】
又、音響光学変調素子１１−１は、変調回路１２から図４（ａ）に示すような正弦波の変調信号ｆが入力されると、入射したＬＤ光を変調信号ｆの周波数によって変調する。このとき音響光学変調素子１１−１は、出射するＬＤ光の出射角θｏを変調信号ｆの周波数に従って変化させる。これにより、光ファイバ１の入射端に入射するＬＤ光の光量は、変調信号ｆの周波数に同期して変化する。
【００３６】
次に、上記の如く構成された装置の作用について説明する。
【００３７】
各レーザダイオードＬＤ１〜ＬＤ３からそれぞれ各ＬＤ光が出射されると、これらＬＤ光は、それぞれ各レンズ２−１〜２−３を介して各音響光学変調素子１１−１〜１１−３に入射する。
【００３８】
これら音響光学変調素子１１−１〜１１−３は、それぞれ各変調回路１２から例えば図４（ｂ）に示すようなハイレベルの矩形波の変調信号ｆが入力すると、オン動作し、入射したＬＤ光を屈折して入射角θｉに対応した出射角θｏで出射し続ける。
【００３９】
そして、これら音響光学変調素子１１−１〜１１−３から出射された各ＬＤ光は、光ファイバ１の入力端に対してＬＤ光が光ファイバ１にカップリングされる角度αで光ファイバ１に入射する。
【００４０】
ここで、光ファイバ１への入射光量は、入射光の入射角によって制限される性質があることから、ＬＤ光が光ファイバ１にカップリングされる角度αで入射することにより、光ファイバ１に対するＬＤ光の入射光量又は光ファイバ１の他端から出射されるＬＤ光の出射光量は、制御される。
【００４１】
なお、音響光学変調素子１１−１〜１１−３は、それぞれ各変調回路１２から例えば図４（ｂ）に示すようなローレベルの矩形波の変調信号ｆが入力すると、オフ状態になり、ＬＤ光を出射しない。
【００４２】
従って、各音響光学変調素子１１−１〜１１−３をオン、オフさせると、光ファイバ１に入射するＬＤ光をオン、オフでき、この結果として光ファイバ１の他端から出射されるＬＤ光をオン、オフできる。
【００４３】
さらに、これら音響光学変調素子１１−１〜１１−３のオン、オフは、当該各音響光学変調素子１１−１〜１１−３個別に行うことができる。従って、各レーザダイオードＬＤ１〜ＬＤ３から出射される互いに波長の異なる各ＬＤをそれぞれ異なるタイミングでオン、オフして光ファイバ１に入射し、光ファイバ１の他端から出射できる。これにより、各波長毎にオン、オフ制御された各ファイバ出力が得られる。
【００４４】
一方、各音響光学変調素子１１−１〜１１−３は、変調回路１２から図４（ａ）に示すような正弦波の変調信号ｆが入力すると、入射したＬＤ光を変調信号ｆの周波数によって変調し、出射するＬＤ光の出射角θｏを変調信号ｆの周波数に同期して変化させる。これにより、光ファイバ１の入射端に入射するＬＤ光の光量は、変調信号ｆの周波数に同期して変化する。
【００４５】
これら音響光学変調素子１１−１〜１１−３での各ＬＤ光の変調は、各変調回路１１から出力される互いに異なる周波数の各変調信号ｆによって個別に行うことができる。
【００４６】
従って、各レーザダイオードＬＤ１〜ＬＤ３から出射される互いに波長の異なる各ＬＤは、それぞれ異なる周波数で変調されて光ファイバ１に入射し、光ファイバ１の他端から出射する。これにより、波長毎に周波数制御された各ファイバ出力が得られる。
【００４７】
このように上記第１の実施の形態においては、互いに異なる波長の３つのレーザダイオードＬＤ１〜ＬＤ３と光ファイバ１との間に、これらレーザダイオードＬＤ１〜ＬＤ３から出射された各ＬＤ光の光ファイバ１に対する入射角を制御する各音響光学変調素子１１−１〜１１−３を配置したので、各音響光学変調素子１１−１〜１１−３をオン、オフさせることにより光ファイバ１の他端から各波長毎にオン、オフ制御された各ファイバ出力を得ることができる。この場合、互いに波長の異なる各ＬＤをそれぞれ個別に異なるタイミングでオン、オフした各ファイバ出力を得ることができる。
【００４８】
従って、各レーザダイオードＬＤ１〜ＬＤ３の入力電流を直接オン、オフすることなく、各レーザダイオードＬＤ１〜ＬＤ３の入力電流をほぼ一定にした状態で、各レーザダイオードＬＤ１〜ＬＤ３から出射される光量の安定した各ＬＤ光をオン、オフするものとなり、この結果として光ファイバ１に入射する安定化した光量の各ＬＤ光の光量、換言すれば安定化した光量でオン、オフしたファイバ出力を得ることができる。
【００４９】
又、各音響光学変調素子１１−１〜１１−３に正弦波の変調信号ｆを入力することにより、光ファイバ１の入射端に入射するＬＤ光の光量を変調信号ｆの周波数に同期して変化させ、変調されたファイバ出力を得ることができる。この場合、互いに波長の異なる各ＬＤをそれぞれ個別に変調して、各波長毎に周波数制御された各ファイバ出力を得ることができる。
【００５０】
従って、各レーザダイオードＬＤ１〜ＬＤ３の入力電流を直接変調することなく、各レーザダイオードＬＤ１〜ＬＤ３から出射される光量の安定した各ＬＤ光を変調するものとなり、この結果として光ファイバ１に入射する安定化した光量の各ＬＤ光の光量、換言すれば安定化した光量の各ＬＤ光を変調したファイバ出力を得ることができる。
【００５１】
このような光ファイバ１へのＬＤ光の入射方法であれば、高い品質で情報を伝送することが要求される光通信技術に好適である。
【００５２】
次に、本発明の第２の実施の形態について図面を参照して説明する。なお、図１と同一部分には同一符号を付してその詳しい説明は省略する。
【００５３】
図５は光ファイバ入射装置の構成図である。この光ファイバ入射装置は、上記第１の実施の形態における各音響光学変調素子１１−１〜１１−３に代えて３つのプリズム１３−１〜１３−３を用いたものである。なお、プリズム１３−３は、図面の関係から不図示となっている。
【００５４】
これらプリズム１３−１〜１３−３は、それぞれ各レーザダイオードＬＤ１〜ＬＤ３から出射された各ＬＤ光の光ファイバ１に対する各入射角を制御する機能と、音響光学による回折によりＬＤ光の強度を変調する機能とを有する。
【００５５】
具体的に各プリズム１３−１〜１３−３の動作について図６を参照して説明する。なお、これらプリズム１３−１〜１３−３は、それぞれ同一動作を行うので、プリズム１３−１の動作について説明し、他のプリズム１３−２、１３−３の動作の説明は省略する。
【００５６】
プリズム１３−１は、例えば断面が二等辺三角形の三角柱に形成され、このうちの二等辺三角形における相等しい二辺を持つ各側面をそれぞれＬＤ光の入射面Ｓｉ、出射面Ｓｏとしている。このプリズム１３−１は、レーザダイオードＬＤ１から出射されたＬＤ光を入射面Ｓｉから入射し、当該プリズム１３−１内部で屈折させて出射面Ｓｏから出射し、この出射したＬＤ光を光ファイバ１にカップリングされる角度αで入射させる。
【００５７】
このプリズム１３−１には、機械駆動部１４が接続されている。この機械駆動部１４は、プリズム１３−１を当該プリズム１３−１のテーパ方向（矢印イ方向）に移動させる機能、又はプリズム１３−１における相等しい二辺で形成された一辺Ｐを軸に矢印ロ方向に回転させる機能とを有する。なお、プリズム１３−１を回転させる軸は一辺Ｐとしたが、これに限らず、例えば一辺Ｐから二等辺三角形の底辺Ｂに垂線を引いた線上などの任意の位置に回転軸を設けてもよい。
【００５８】
このプリズム１３−１は、機械駆動部１４によって当該プリズム１３−１のテーパ方向に移動することにより、光ファイバ１に対するＬＤ光の入射光量又は光ファイバ１の他端から出射されるＬＤ光の出射光量を制御する。この場合、光ファイバ１への入射光量が入射光の入射角によって制限される性質を利用することは上記第１の実施の形態と同じである。
【００５９】
又、プリズム１３−１は、機械駆動部１４によって一辺Ｐを軸に矢印ロ方向に回転することにより、出射するＬＤ光の出射角を当該プリズム１３−１の回転周期に同期して変化させ、光ファイバ１の入射端に入射するＬＤ光の光量を回転周期に同期して変化させるものとなる。
【００６０】
次に、上記の如く構成された装置の作用について説明する。
【００６１】
各レーザダイオードＬＤ１〜ＬＤ３からそれぞれ各ＬＤ光が出射されると、これらＬＤ光は、それぞれ各レンズ２−１〜２−３を介して各プリズム１３−１〜１３−３に入射する。
【００６２】
これらプリズム１３−１〜１３−３は、それぞれ機械駆動部１４によって当該プリズム１３−１〜１３−３のテーパ方向に移動する。これにより、光ファイバ１に対するＬＤ光の入射角が変化し、各プリズム１３−１〜１３−３の移動量に応じて光ファイバ１に対するＬＤ光の入射光量又は光ファイバ１の他端から出射されるＬＤ光の出射光量が制御される。
【００６３】
なお、各プリズム１３−１〜１３−３の移動量が所定の量を超えると、ＬＤ光が光ファイバ１に入射しなくなり、オフ状態となる。
【００６４】
従って、各プリズム１３−１〜１３−３の移動量を制御することにより、光ファイバ１に入射するＬＤ光をオン、オフでき、この結果として光ファイバ１の他端から出射されるＬＤ光をオン、オフできる。
【００６５】
さらに、これらプリズム１３−１〜１３−３による各ＬＤ光のオン、オフは、当該各プリズム１３−１〜１３−３個別に行うことができる。従って、各レーザダイオードＬＤ１〜ＬＤ３から出射される互いに波長の異なる各ＬＤをそれぞれ異なるタイミングでオン、オフして光ファイバ１に入射し、光ファイバ１の他端から出射できる。これにより、各波長毎にオン、オフ制御された各ファイバ出力が得られる。
【００６６】
又、プリズム１３−１〜１３−３は、それぞれ機械駆動部１４によって一辺Ｐを軸に矢印ロ方向に回転する。これにより、出射するＬＤ光の出射角は、当該プリズム１３−１の回転周期に同期して変化し、光ファイバ１の入射端に入射するＬＤ光の光量が回転周期に同期して変化する。
【００６７】
従って、各レーザダイオードＬＤ１〜ＬＤ３から出射される互いに波長の異なる各ＬＤは、それぞれ異なる各プリズム１３−１〜１３−３の回転周期で変調されて光ファイバ１に入射し、光ファイバ１の他端から出射する。これにより、波長毎に周波数制御された各ファイバ出力が得られる。
【００６８】
このように上記第２の実施の形態によれば、互いに異なる波長の３つのレーザダイオードＬＤ１〜ＬＤ３と光ファイバ１との間に、これらレーザダイオードＬＤ１〜ＬＤ３から出射された各ＬＤ光の光ファイバ１に対する入射角を制御する各プリズム１３−１〜１３−３を配置しても、上記第１の実施の形態と同様の効果を奏することができる。
【００６９】
なお、本発明は、上記第１及び第２の実施の形態に限定されるものでなく、実施段階ではその要旨を逸脱しない範囲で種々に変形することが可能である。
【００７０】
さらに、上記実施形態には、種々の段階の発明が含まれており、開示されている複数の構成要件における適宜な組み合わせにより種々の発明が抽出できる。例えば、実施形態に示されている全構成要件から幾つかの構成要件が削除されても、発明が解決しようとする課題の欄で述べた課題が解決でき、発明の効果の欄で述べられている効果が得られる場合には、この構成要件が削除された構成が発明として抽出できる。
【００７１】
例えば、上記第１及び第２の実施の形態では、各音響光学変調素子１１−１〜１１−３又は各プリズム１３−１〜１３−３を用いて各レーザダイオードＬＤ１〜ＬＤ３から出射された各ＬＤ光の光ファイバ１に対する各入射角を制御し、かつＬＤ光の強度を変調しているが、これに限らず、図７に示すようにミラー１５を用い、このミラー１５を矢印ハ方向に振らすことにより光ファイバー１に対する入射角を制御し、かつミラー１５を矢印ハ方向に周期的に振らすことにより変調したＬＤ光を得るようにしてもよい。又、集光レンズを上下に動かしてもよい。
【００７２】
又、３つのレーザダイオードＬＤ１〜ＬＤ３に限らず、２つ以上複数のレーザダイオードＬＤから出射された互いに波長の異なる複数のＬＤ光を１本の光ファイバ１に入射するようにしてもよい。
【００７３】
各音響光学変調素子１１−１〜１１−３に入力する変調信号ｆは、正弦波又は矩形波に限らず、変調したいＬＤ光を得るための波形、例えば三角波、のこぎり波にしてもよい。
【００７４】
又、光源は、レーザダイオードＬＤ１〜ＬＤ３に限らず、他のレーザ光源を用いてもよく、さらには各レーザダイオードＬＤ１〜ＬＤ３に代って光ファイバの光出射端を配置し、この光ファイバを伝送してきたレーザ光を当該光ファイバの光出射端から出射させ、コリメータレンズ等を用いて平行光に整形して、各音響光学変調素子１１−１〜１１−３又は各プリズム１３−１〜１３−３に入射させてもよい。なお、本発明は、直接変調方式以外の光ファイバへの入射方式に幅広く適用可能である。
【００７５】
【発明の効果】
以上詳記したように本発明によれば、光源から出射される光の光量を安定させ、その上で光を変調させることができる信頼性の高い光ファイバ入射方法及びその装置を提供できる。
【図面の簡単な説明】
【図１】本発明に係わる光ファイバ入射装置の第１の実施の形態を示す構成図。
【図２】本発明に係わる光ファイバ入射装置の第１の実施の形態における各レーザダイオードの配置を示す図。
【図３】本発明に係わる光ファイバ入射装置の第１の実施の形態における音響光学変調素子の動作を説明するための図。
【図４】本発明に係わる光ファイバ入射装置の第１の実施の形態における変調回路の出力波形を示す図。
【図５】本発明に係わる光ファイバ入射装置の第２の実施の形態を示す構成図。
【図６】本発明に係わる光ファイバ入射装置の第２の実施の形態におけるプリズムの動作を説明するための図。
【図７】本発明に係わる光ファイバ入射装置の変形例を示す図。
【図８】従来の光ファイバ入射方法の一例を示す構成図。
【図９】従来の光ファイバ入射方法の一例を示す構成図。
【符号の説明】
１：光ファイバ
２−１〜２−３：レンズ
１０：電源
１１−１〜１１−３：音響光学変調素子（ＡＯ−Ｍ）
１２：変調回路
１３−１〜１３−３：プリズム
１４：機械駆動部
１５：ミラー
ＬＤ１〜ＬＤ３：レーザダイオード
【図１】
2004029152.tif 000003
【図２】
2004029152.tif 000004
【図３】
2004029152.tif 000005
【図４】
2004029152.tif 000006
【図５】
2004029152.tif 000007
【図６】
2004029152.tif 000008
【図７】
2004029152.tif 000009
【図８】
2004029152.tif 000010
【図９】
2004029152.tif 000011